(57)【要約】      （修正有）【課題】傾斜地克服のための練習が効果に行えるような、あるひとつの傾斜だけでなく、様々な傾斜での練習が可能なゴルフ練習用のスタンスマットを提供する。【解決手段】本ゴルフ練習用スタンスマットは、スタンスマットの中央部の底部に、回転盤が取付けられ、回転盤の内部に回転軸を設け、スタンスマットが回転可能のように構成したことを特徴とする。【選択図】図１
0003159538.tif 000002
【実用新案登録請求の範囲】
【請求項１】
ゴルフ練習用のスタンスマットにおいて、スタンスマットに傾きを設け、前記スタンスマットの周りには傾きに合せた円筒状の側面壁を設け、スタンスマット中央部の底部に回転盤が取付けられ、回転盤の内部には回転軸を設けることで、スタンスマットが回転可能のように構成したことを特徴とするゴルフ練習用スタンスマット。
【請求項２】
前記回転盤と回転軸の間にコイルスプリングを取り付けたことを特徴とするゴルフ練習用スタンスマット。
【請求項３】
スタンスマット表面であって、傾きの低い位置に基点となる目印を設け、前記基点から複数個所に角度を示す目印を表示したことを特徴とする請求項１又は２に記載のゴルフ練習用スタンスマット。
【考案の詳細な説明】
【技術分野】
【０００１】
本考案は、任意の傾斜地からのショットを克服するためのゴルフ練習用スタンスマットに関する。
【背景技術】
【０００２】
ゴルファーにとって、ゴルフ練習場ではうまく打てても、本番になると失敗してしまう人が多い。その原因の一つが、ゴルフコースにあるアンジュレーション（起伏）によるものである。ゴルフ練習場ではうまく打てても、ゴルフコースで失敗してしまうのは、つま先上がり、つま先下がり、左足上がり、左足下がり等、ゴルフコースでの競技では自然により形成された様々な傾斜地でのショットが要求されるためである。
【０００３】
そこで傾斜地を克服するための練習が欠かせないが、ゴルフ練習場においては、前述のような傾斜からのショット練習をすることが現状では困難に近い。通常、練習場では水平のマットのみ設置されており、練習場で傾斜地でのショットの練習は、特別な用具等がないと実施できないのが実情である。傾斜地での練習用器具としては、例えば特開２００６−０１５０９１号において、傾斜を形成した台の表面に人工芝を貼り付けたゴルフ練習用マットの記載があるが、この構造では例えば、爪先上りの練習のようにひとつの傾斜の練習しか行なえず、本考案のように様々な傾斜地での練習が可能な構造ではない。
【先行技術文献】
【特許文献】
【０００４】
【特許文献１】特開２００６−０１５０９１号
【考案の概要】
【考案が解決しようとする課題】
【０００５】
ゴルフの練習において、傾斜地でのショットの練習が効果に行うために、あるひとつの傾斜だけでなく、様々な傾斜での練習が可能なゴルフ練習用のスタンスマットを提供することを課題とする。
【課題を解決するための手段】
【０００６】
本考案のゴルフ練習用スタンスマットは、平板で円形に構成され、傾斜を構成するために、略１５度の傾きを設け、この傾きを維持するため、前記スタンスマットの周りに側面壁を設ける。スタンスマットの表面には、人工芝を貼り付けるが、巾２ｃｍ程度の人工芝を１ｃｍ程度の隙間を設けて貼り付ける。
スタンスマット中央部の底部に、回転盤が取付けられ、回転盤の内部には回転軸を設け、スタンスマットが回転可能のように構成し、回転盤と回転軸の間には、コイルバネを設けたことを特徴とする。
【０００７】
スタンスマットの周りに側面壁により、スタンスマットは傾斜角を安定して保つことができ、貼り付けられた人工芝の隙間にゴルフボールを置くことにより、傾斜によりゴルフボールが転がり落ちるのを防止し、回転盤と回転軸によりスタンスマットが回転自在となり、回転盤と回転軸の間に設けたコイルバネにより、スタンスマットに人が乗っていないときは、スタンスマットが数センチメートル浮き上り、スタンスマットを容易に回転させることが可能となり、練習する際に、スタンスマットへ乗った時は、人の重量によりスタンスマットが沈み、円周部の壁が地面に設置し、回転を止めると同時に、スタンスマットを安定的に固定する。
【考案の効果】
【０００８】
本考案のスタンスマットを利用することで、様々な傾斜でのショット練習が可能となり、傾斜地での技量が向上する。
【０００９】
本考案のスタンスマットの直径を小さくすることで、コンパクトサイズとなり、ゴルフ練習場などへ携帯可能なスタンスマットとして利用も可能となる。
【図面の簡単な説明】
【００１０】
【図１】本考案の一例の平面図
【図２】本考案の一例の正面図
【図３】本考案の一例の背面図
【図４】本考案の一例の左側面図
【図５】本考案の一例のＡ-Ｂ断面図
【図６】爪先上がりの一例の状態を示す左側面図
【図７】爪先下がりの一例の状態を示す左側面図
【図８】左足下がりの一例の状態を示す斜視図
【図９】爪先下がりの一例の状態を示す斜視図
【考案を実施するための最良の形態】
【００１１】
以下、本考案の詳細について図面を引用して説明する。
【実施例１】
【００１２】
図１は本考案の一例の平面図、図２は本考案の一例の正面図、図３は本考案の一例の背面図、図４は本考案の一例の左側面図、図５は本考案の一例のＡ-Ｂ断面図である。
【００１３】
平板を円形に切り出しスタンスマット１を構成し、前記スタンスマット１が略１５度傾くように、外周部に円筒状の側面壁６を形成する。スタンスマット中央部の底部には、傾き１５度の隙間を埋めるスペーサー９と円筒状の回転盤８を取付ける。平板状の固定基板１１の上面には円柱状の回転軸７が取り付けられ、回転軸７の回りにコイルバネ１０を設置し、前記スタンスマットに取付けられた回転盤８を、回転軸７に被せるように設置する。
このスタンスマットは木製の合板、合成樹脂又は合成ゴム製で、直径１００ｃｍ〜１５０ｃｍ、厚さ２〜３ｃｍ程度が望ましいが、これに限定するものではない。回転盤８及び回転軸７は剛性を考慮して、鉄又はアルミニウム等の金属製が望ましく、スペーサー９は木製、樹脂又はゴム等が望ましい。
【００１４】
この構成により、スタンスマット１は常に傾斜角１５度を保ち、回転盤８が回転軸７を中心に回転することにより、スタンスマットも回転自在となる。更に、回転軸７と回転盤８の間に設置したコイルバネにより、スタンスマットに人が乗っていないときは、スタンスマットをバネ力により宙に浮かせ、スタンスマットに人が乗ったときは、スタンスマットが沈んで、外周部の壁６が床や地面に接地してスタンスマットを固定する。
【００１５】
スタンスマットの表面には、スタンスマット全面を覆うように、巾２ｃｍ程度の人工芝を略１ｃｍの隙間を設けて貼り付ける。この隙間が、ボールが転がり落ちるのを防止する溝の役割を果たす。スタンスマットの表面外周部には、傾斜の一番低い位置に基点となる目印を表示する。本実施例では二重丸で表示してある。この目印を基点に４５度の角度で、外周部に目印を表示する。本実施例では丸で表示しているが、角度を記載してもよい。
スタンスマットの中央部には、前述の基点を０度として、正面及び左右に角度を表示する。本実施例では、正面に１８０度、右９０度、左に２７０度を表示している。また、０度と１８０度、９０度と２７０度を結ぶように、直線を表示する。
【００１６】
これらの表示は傾斜を知る上での手がかりとなるもので、例えば、２７０度の方向へ打ち出す場合は爪先上り、９０度の方向へ打ち出す場合は爪先下がり、０度の方向へ打つ場合は左足下がり、１８０度の方向へ打つ場合は右足下がりとなることを表している。
本考案のスタンスマットは、回転軸７を中心に回転自在のため、様々な角度に設定することが可能であると同時に、様々な傾斜を手軽に再現することが可能である。
図６は爪先上がりの一例の状態を示す左側面図、図７は爪先下がりの一例の状態を示す左側面図、図８は左足下がりの一例の状態を示す斜視図、図９は爪先下がりの一例の状態を示す斜視図である。
【００１７】
回転軸７を固定する固定基板１１は、床又は地面等に固定するため、ネジ等で固定しももよい。固定基板１１は、木製又は金属製が望ましいが、剛性のある樹脂製でもよい。
【実施例２】
【００１８】
本考案のスタンスマットの直径を、例えば８０ｃｍ以下程度に小さくすることで、本体の大きさが持ち運び可能な携帯サイズとなり、本考案のようなスタンスマットが設置されていないゴルフ練習場などでも利用が可能となる。
【産業上の利用可能性】
【００１９】
本考案のスタンスマットは、工業生産が可能であり、ゴルフ場やゴルフ練習場において練習用器具として利用が可能である。
【符号の説明】
【００２０】
１  スタンスマット
２  基点
３  角度表示目印
４  角度表示板
５  角度
６  側面壁
７  回転軸
８  回転盤
９  スペーサー
１０  コイルスプリング
１１  固定基板
１２  ネジ
【図１】
0003159538.tif 000003
【図２】
0003159538.tif 000004
【図３】
0003159538.tif 000005
【図４】
0003159538.tif 000006
【図５】
0003159538.tif 000007
【図６】
0003159538.tif 000008
【図７】
0003159538.tif 000009
【図８】
0003159538.tif 000010
【図９】
0003159538.tif 000011
【手続補正書】
【提出日】平成22年3月17日(2010.3.17)
【手続補正１】
【補正対象書類名】実用新案登録請求の範囲
【補正対象項目名】請求項２
【補正方法】変更
【補正の内容】
【請求項２】
前記回転盤と回転軸の間にコイルスプリングを取り付けたことを特徴とする請求項１に記載のゴルフ練習用スタンスマット。